(57)【特許請求の範囲】
【請求項１】
シールド掘削機に設けられた正逆回転可能なカッター面板に取付けられるカッタービットにおいて、
前記ビット本体の一端部には、先端切刃稜を形成した主チップが備えられ、またこの先端切刃稜に対する側端面には、側面摩耗を防止するサイドチップが主チップ側に近接して備えられ、しかもこのサイドチップには、尖端部分が主チップ側に形成されるようにしたことを特徴とするカッタビット。
【請求項２】
前記主チップに形成された逃げ面の終端側には、ビット本体の逃げ面摩耗を防止するため、主チップ側に近接する尖端部分を形成した短冊状の補助チップが二面拘束のチップ座内に備えられるようにした請求項１記載のカッタービット。
【請求項３】
前記ビット本体の両端部には、主チップがそれぞれ設けられることにより両頭形式になっている請求項１又は請求項２記載のカッタビット。
【発明の詳細な説明】
【０００１】
【発明の属する技術分野】
本発明は、シールド掘削機に取付けられるカッタビットに関し、特に、ビット本体の側面摩耗が防止されるようにしたものである。
【０００２】
【従来の技術】
従来、シールド掘削機は、一般的に正逆回転を行うため、回転方向が逆になる側では、逃げ面を構成する鋼製のビット本体が砂利石等によってえぐり取られることにより激しく摩耗し、また最外周側に取付けられるカッタビットにおけるビット本体の外周側側面も大きく摩耗する。
【０００３】
このようなことから、シールド掘削機用のカッタービットでは、実開昭59−14897号公報、実公昭60−19199号に開示されているように、主チップの後方に設けた溝内に補助チップを挿入したり、実開平3−50690号公報に開示されているように、主チップの両側に板状チップが当接されるようにして、摩耗を防止するようにしている。
【０００４】
【発明が解決しようとする課題】
しかしながら、主チップ及び補助チップを離間させたシールドビットは、離間域が摩耗するとともに、側面部分の摩耗を防止できないという欠点があった。
【０００５】
また、主チップに板状チップを当接するようにしたシールドビットは、主チップの掘削抵抗を板状チップが支えなければならず、ろう付け歪みが互いに作用するため欠損し、また側面部分の摩耗を防止できないという欠点があった。
【０００６】
このようなことから、本発明では、上述した問題点を解消するため、側面摩耗を防止する特定形状のサイドチップが設けられ、またビット本体の逃げ面摩耗を防止する特定形状の補助チップが設けられるようにしたものである。
【０００７】
【課題を解決するための手段】
本発明は、上述の点に鑑みなされたもので、シールド掘削機に設けられた正逆回転可能なカッター面板に取付けられるカッタービットを対象にして、ビット本体の側面摩耗を防止できるようにしたものである。
【０００８】
すなわち、前記ビット本体の一端部には、先端切刃稜を形成した主チップが備えられ、またこの先端切刃稜に対する側端面には、側面摩耗を防止するサイドチップが主チップ側に近接して備えられ、しかもこのサイドチップには、尖端部分が主チップ側に形成されるようにしたものである。
【０００９】
また、ビット本体の逃げ面摩耗を防止するため、前記主チップに形成された逃げ面の終端側には、主チップ側に近接する尖端部分を形成した短冊状の補助チップが二面拘束のチップ座内に備えられるようにしたものである。
【００１０】
さらに、本発明のカッタビットは、ビット本体の両端部には、主チップがそれぞれ設けられる両頭形式にも適用できるものである。
【００１１】
【発明の実施の形態】
以下、本発明カッタービットの一実施例について、図を参照しながら説明する。
図１及び図２は、本発明のカッタービット１を示したもので、このカッタービット１は、ビット本体２の一端部2aには、超硬合金からなる主チップ３が設けられ、また一方の側端部2bには、側面摩耗を防止する同じく超硬合金からなるサイドチップ４が備えられている。そして、このカッタビット１は、図３及び図４で例示されているように、中心穿孔刃５を備えたシールド掘削機６のカッター面板７に取付けられる。この結果、主チップ３は、カッター面板７の回転によって掘削上、すくい面3a及び逃げ面3bを形成し、これらのすくい面3a及び逃げ面3bの交差稜で先端切刃稜８を形成する。
【００１２】
前記カッタービット１は、カッタ面板７に取付けられるにあたって、主チップ３が、正逆回転の掘削方向に適合するように、互いに他端部2cを離間状態で対面させるように配置される。このカッター面板７への取付けは、例えば溶接によって行われる。そして、前述したサイドチップ４を備えたカッタビット１については、図示の場合、摩耗の大きい最外周側に取付けられるようになっている。
【００１３】
ところで、前記サイドチップ４は、短冊状をなし、主チップ３側には、尖端部分９が形成されるもので、先端切刃稜８に対する幅方向の側端部2bに設けられたチップ座10内にろう付けされる。そして、ビット本体２の逃げ面摩耗を防止するサイドチップ４に尖端部分９を形成したのは、カッタビット１の先端切刃稜８に対する幅方向の掘削屑の排出性を良好にする配慮であって、またチップ座10については、座面10a，側壁10b,10cにより構成されている。
【００１４】
図５及び図６は、本発明のカッタービット１における変形例を示したもので、主チップ３の逃げ面3bの延長方向には、短冊状の補助チップ11が設けられている。そして、この補助チップ11は、前述したサイドチップ４と同様、主チップ３側に尖端部分12を形成し、座面13a及び後方壁13bを有する二面拘束のチップ座13内でろう付けによって取付けられる。
【００１５】
また、図７及び図８(a)(b)は、本発明の別の実施例を示したもので、サイドチップ４が、ビット本体２の両側端面2bに備えられ、また前述した補助チップ11が、主チップ３の逃げ面3bに近接して備えられたものである。この場合、前記補助チップ11は、図８(a)では、一体の短冊状のものに適用され、また図８(b)では、分割されたものに適用されている。
【００１６】
さらに、図９は、図４に対応しており、この場合は、サイドチップ４をビット本体２の両側端面2bに備えたカッタービット１が、シールド掘削機６のカッター面板７に取付けられるようになっている。なお、図７及び図８(a)(b)で示されたカッタービット１については、図９に適用できることは勿論である。
【００１７】
これに対し、図10及び図11(a)(b)は、本発明をさらに別のカッタービット１に適用したものであり、ビット本体２の両側端部2a,2cに主チップ３が備えられるようにしたいわゆる両頭形式のカッタービット１である。
【００１８】
そして、このカッタビット１は、主チップ３の他に、尖端部分８を形成したサイドチップ４及び同じく尖端部分12を形成した補助チップ11がそれぞれ備えられ、図３、図４及び図９と同様に、シールド掘削機６のカッター円板７に取付けられる。
【００１９】
【発明の効果】
本発明は、以上説明したように、ビット本体２に設けられた主チップ５に対して、その側端部2bに尖端部分９を形成したサイドチップ４が備えられるようにしたものであるから、ビット本体２の側端部2bにおける摩耗を防止できる。
【００２０】
また、本発明は、主チップ５に対するビット本体2の逃げ面側にも尖端部分12を形成した補助チップ11が備えられるようにしたものであるから、ビット本体２の背面掘削による逃げ面摩耗を防止できるという利点を有する。
【図面の簡単な説明】
【図１】本発明カッタービットの一実施例を示す正面図である。
【図２】図１に対する平面図である。
【図３】本発明カッタービットをシールド掘削機のカッター面板に取付けた状態を示す概念的な説明図である。
【図４】図４の要部を拡大して示す説明図である。
【図５】本発明カッタービットの他の実施例を示す正面図である。
【図６】図５に対する平面図である。
【図７】本発明カッタービットの別の実施例を示す正面図である。
【図８】図７に対する平面図であり、図８(a)及び図８(b)でそれぞれ別の実施例を示すものである。
【図９】本発明カッタービットをシールド掘削機のカッター面板に取付けた状態の要部を示す概念的な説明図である。
【図１０】本発明カッタービットのさらに別の実施例を示す正面図である。
【図１１】図１０に対する平面図であり、図１１(a)及び図１１(b)でそれぞれ別の実施例を示すものである。
【符号の説明】
１  カッタービット
２  ビット本体
2a  一端部
2b  側端部
2c  他端部
３  主チップ
3a  すくい面
3b  逃げ面
４  サイドチップ
５  中心穿孔刃
5a  すくい面
5b  逃げ面
６  シールド掘進機
７  カッター面板
８  先端切刃稜
９  尖端部分
10   チップ座
10a  座面
10b  側壁
10c  側壁
11   補助チップ
12   尖端部分
13   チップ座
13a  座面
13b  後方壁
【図１】
0004578005.tif 000002
【図２】
0004578005.tif 000003
【図３】
0004578005.tif 000004
【図４】
0004578005.tif 000005
【図５】
0004578005.tif 000006
【図６】
0004578005.tif 000007
【図７】
0004578005.tif 000008
【図８】
0004578005.tif 000009
【図９】
0004578005.tif 000010
【図１０】
0004578005.tif 000011
【図１１】
0004578005.tif 000012